(57)【要約】鍼治療に用いる鍼灸針であって、金属製の針柄を有する鍼灸針を樹脂でできた針管内で固定する。  高周波誘導加熱又はマイクロ波加熱により、鍼灸針１の針柄２の表面と針管３の内側面とが接触する部位の樹脂を溶融させて両者を固定する。このとき、別部材を用いなくてもよいので、部品点数を増やさずに、両者を固定することができる。また、針管２をつまんで針柄３の端部を押せば、針管３から鍼灸針１を片手で取り外すことができる。
2006067832.tif 000002
【特許請求の範囲】
【請求項１】
金属又は樹脂の何れか一方の材質でできた針柄を有する鍼灸針を、該針柄とは異なる他方の材質でできた針管内に挿入し、これを加熱コイルの中に配置し、該加熱コイルに高周波の交流電流を流して金属でできた針柄又は針管の何れか一方を誘導加熱し、その熱により針柄の表面と針管の内側面とが接触する部位の樹脂を溶融させて両者を固定することを特徴とする鍼灸針と針管との固定方法。
【請求項２】
金属製の針柄を有する鍼灸針を樹脂製の針管内に挿入し、該針管の外部に一の電極を配置すると共に前記針柄に他の電極を接続し、これらの電極間に挟まれた前記針管にマイクロ波を照射して当該照射部位を加熱し、その熱により針管の内側面を溶融させて針柄を固定することを特徴とする鍼灸針と針管との固定方法。
【請求項３】
金属又は樹脂の何れか一方の材質でできた針柄を有する鍼灸針を、該針柄とは異なる他方の材質でできた針管内に挿入して両者を固定した針管付き鍼灸針であって、
高周波誘導加熱により、金属でできた針柄又は針管の何れか一方を誘導加熱し、その熱により針柄の表面と針管の内側面とが接触する部位の樹脂を溶融させて両者を固定したことを特徴とする針管付き鍼灸針。
【請求項４】
前記金属でできた針柄又は針管は、その表面の円周方向に環状をなした凹部又は凸部が形成されたことを特徴とする請求項３記載の針管付き鍼灸針。
【請求項５】
前記金属でできた針柄又は針管は、その表面に軸線方向に延びた凹部又は凸部が形成されたことを特徴とする請求項３記載の針管付き鍼灸針。
【請求項６】
前記金属でできた針柄又は針管は、その表面に点状の凹部又は凸部が不規則に形成されたことを特徴とする請求項３記載の針管付き鍼灸針。
【請求項７】
金属製の針柄を有する鍼灸針を樹脂製の針管内に挿入して両者を固定した針管付き鍼灸針であって、
前記針管をマイクロ波加熱により加熱し、その熱により針管の内側面を溶融させて針柄を固定したことを特徴とする針管付き鍼灸針。
【発明の詳細な説明】
【技術分野】
【０００１】  本発明は、鍼治療に用いる鍼灸針に関し、特に、金属製の針柄を有する鍼灸針を樹脂製の針管内で固定する方法及び針管付き鍼灸針に関するものである。
【背景技術】
【０００２】  従来から鍼治療に用いる鍼灸針として様々なものが提案されている。鍼治療を行う際には、円筒状の針管を使って鍼灸針を刺入するのが一般的であり、商品としての鍼灸針は、針管内に収容され、その針先が保護された針管付きのものがある。このような針管付き鍼灸針は、針管の開口端から針柄の一部を突出させた状態で、針柄を針管の内側面に固定しておき、針治療の際には、針管から容易に取り外せるようにする必要がある。【０００３】  このため、従来の一般的な鍼灸針として、その針柄と針管との隙間に別部材からなる楔形のチップを圧入することで、両者を固定するものがあった。
また、他の鍼灸針として、その針柄及び針管を同一の樹脂で形成し、超音波振動と同時に圧力を加えることで、樹脂の一部に強力な摩擦熱を発生させ、接合したい部分同士を溶融させて両者を固定するものがあった（特許文献１，２参照）。
さらに、他の鍼灸針として、鍼灸針の針柄と針管とを接着剤で接着して、両者を固定するものもあった（特許文献３参照）。
【特許文献１】特開平８−１０３１０号公報
【特許文献２】特開平９−２８７５８号公報
【特許文献３】特開平８−１５５００６号公報
【発明の開示】
【発明が解決しようとする課題】
【０００４】  しかしながら、別部材からなるチップを用いて鍼灸針と針管とを固定する方法においては、部品点数が多くなる上に、針治療の際にまずチップを取り外さなければならず、そのチップの処分に手間がかかり、また鍼灸針と針管とがばらばらになり易いという問題点があった。【０００５】  また、特許文献１，２に記載された超音波溶着による固定方法においては、針柄と針管とが同一の樹脂でできている場合には両者を溶着して固定できるが、例えば、両者が異なる材質の場合、特に鍼灸針の針柄が金属製であり、針管が樹脂製の場合には両者を溶着するのが困難であった。【０００６】  さらに、特許文献３に記載された接着剤による固定方法の場合には、たとえ鍼灸針と針管とが異なる材質の場合でも、両者を固定することができるものの、製造時における管理が困難であり、また多くの手間がかかるという問題点があった。【０００７】  そこで、本発明は、このような従来の問題点に鑑み、部品点数を増やさずに、金属製の針柄を有する鍼灸針を樹脂製の針管内で固定する方法及び針管付き鍼灸針を提供することを目的とする。
【課題を解決するための手段】
【０００８】  このため、第１の発明による鍼灸針と針管との固定方法は、金属又は樹脂の何れか一方の材質でできた針柄を有する鍼灸針を、該針柄とは異なる他方の材質でできた針管内に挿入し、これを加熱コイルの中に配置し、該加熱コイルに高周波の交流電流を流して金属でできた針柄又は針管の何れか一方を誘導加熱し、その熱により針柄の表面と針管の内側面とが接触する部位の樹脂を溶融させて両者を固定することを特徴とする。【０００９】  また、第２の発明による鍼灸針と針管との固定方法は、金属製の針柄を有する鍼灸針を樹脂製の針管内に挿入し、該針管の外部に一の電極を配置すると共に前記針柄に他の電極を接続し、これらの電極間に挟まれた前記針管にマイクロ波を照射して当該照射部位を加熱し、その熱により針管の内側面を溶融させて針柄を固定することを特徴とする。【００１０】  また、第３の発明による針管付き鍼灸針は、金属又は樹脂の何れか一方の材質でできた針柄を有する鍼灸針を、該針柄とは異なる他方の材質でできた針管内に挿入して両者を固定した針管付き鍼灸針であって、高周波誘導加熱により、金属でできた針柄又は針管の何れか一方を誘導加熱し、その熱により針柄の表面と針管の内側面とが接触する部位の樹脂を溶融させて両者を固定したことを特徴とする。【００１１】  ここで、金属でできた針柄又は針管は、その表面の円周方向に環状をなした凹部又は凸部が形成されている。【００１２】  また、金属でできた針柄又は針管は、その表面に軸線方向に延びた凹部又は凸部が形成されたものでもよい。【００１３】  さらに、金属でできた針柄又は針管は、その表面に点状の凹部又は凸部が不規則に形成されたものでもよい。【００１４】  そして、第４の発明による針管付き鍼灸針は、金属製の針柄を有する鍼灸針を樹脂製の針管内に挿入して両者を固定した針管付き鍼灸針であって、前記針管をマイクロ波加熱により加熱し、その熱により針管の内側面を溶融させて針柄を固定したことを特徴とする。
【発明の効果】
【００１５】  本発明によれば、鍼灸針の針柄が金属でできており、それを収容する針管が樹脂でできている場合であっても、高周波誘導加熱又はマイクロ波加熱により、針柄の表面と針管の内側面とが接触する部位の樹脂を溶融させて両者を固定することができる。
このとき、別部材を用いなくてもよいので、部品点数を増やさずに、両者を固定することができる。また、針管をつまんで針柄の端部を押せば、針管から鍼灸針を片手で取り外すことができる。
【図面の簡単な説明】
【００１６】［図１］本発明の実施形態の一例を示す針管付き鍼灸針の一部断面図である。
［図２］図１のＡ矢視図である。
［図３］本発明による鍼灸針と針管との第１の固定方法を説明する概要図である。
［図４］鍼灸針の第２の形状を示す要部拡大斜視図である。
［図５］鍼灸針の第３の形状を示す要部拡大断面図である。
［図６］鍼灸針の第４の形状を示す要部拡大断面図である。
［図７］鍼灸針の第５の形状を示す要部拡大斜視図である。
［図８］鍼灸針の第６の形状を示す要部拡大斜視図である。
［図９］本発明による鍼灸針と針管との第２の固定方法を説明する概要図である。
【符号の説明】
【００１７】  １…鍼灸針
２…針柄
２ａ…突起部
２ｂ…溝部
２ｃ…山部
２ｄ…凹部
３…針管
４…加熱コイル
５…交流電源
６…電極
７…電極
【発明を実施するための最良の形態】
【００１８】  以下、本発明の実施形態を添付図面に基づいて詳細に説明する。
図１及び図２は本発明の第１の実施形態を示し、図１は針管付き鍼灸針の一部断面図であり、図２は図１のＡ矢視図である。この針管付き鍼灸針は、鍼灸針１の針柄２を針管３内の所定部位３ａで固定したものである。【００１９】  鍼灸針１は、先端側に針先が形成された金属製の棒状体であって、その基端側に針柄２が取り付けられている。この針柄２は、例えばステンレスなどの金属でできた円柱体であって、図３に示すように、その表面に一点の突起部２ａが形成されている。
針管３は、針柄２の外径より大きい内径を有する樹脂製の円筒体である。樹脂材料としては、例えばポリプロピレン、ポリエチレン、ポリスチレン、塩化ビニル等の樹脂が用いられる。【００２０】  次に、このような金属製の針柄２を有する鍼灸針１を、樹脂製の針管３内で固定する方法について説明する。まず図３に示すように、針柄２の一部を針管３の開口端から突出させた状態で、鍼灸針１を針管３の内部に挿入し、これを加熱コイル４の中に配置する。この加熱コイル４は、例えば、針管３の外径の太さよりも太く螺旋状に巻かれた電気の導線であり、交流電源５につながれている。【００２１】  この状態で、加熱コイル４に高周波の交流電流を流すと、この加熱コイル４の内部に磁界が発生する。この磁界は金属製の針柄２内にも発生するので、該針柄２内には、磁界を打ち消す方向に高周波の渦電流（循環電流）ｉが誘起する。この渦電流ｉが針柄２内を流れると、針柄２の表面からジュール熱が発生する。なお、針柄２の表面の突起部２ａは、抵抗値が高くなるので、発熱温度がより高くなる。【００２２】  このような高周波誘導加熱方法の場合には、加熱コイル４と金属製の針柄２とは非接触にもかかわらず、針柄２の表面全体を瞬間的に発熱させることができ、この針柄２の発熱により、その表面の突起部２ａと接触している樹脂製の針管３の内側面を溶融させて、この溶融した部位３ａで両者を固定することができる（図１参照）。【００２３】  なお、加熱コイル４の形状は、図３に示す螺旋状のものに限られず、高周波の交流電流を流すとその内部に磁界が発生するものであれば、どのような形状でもよい。例えば、円形の一巻コイルを半分に折り曲げたものでもよい。また、針柄２の発熱温度は、加熱コイル４の巻数や形状、交流電流の周波数、針柄２の材質を適宜選択することによって、任意に設定することができる。特に、電気制御回路で交流電源５の周波数を制御することにより、針柄２の発熱温度を容易に設定できる。【００２４】  このように製造された針管付き鍼灸針は、鍼治療に使うまでの間の検査、包装、輸送中等の振動等では、針管３から鍼灸針１が外れることはない。また鍼治療の際には、針管３をつまんで針柄２の端部を押せば、針管３から鍼灸針１を片手で取り外すことができる。【００２５】  なお、以上の説明においては、金属製の針柄２は、その表面に一点の突起部２ａが形成されているとしたが、本発明はこれに限られず、針柄２の表面に任意の凹凸形状を形成してもよい。これについて、以下に説明する。【００２６】  図４は、上述の鍼灸針１の第２の形状を示す要部拡大斜視図である。この鍼灸針１は、金属製の針柄２の表面の円周方向に環状をなした複数条の溝部２ｂが形成されている。このような溝部２ｂが形成された針柄２を有する鍼灸針１を、針管３内に挿入すると、針柄２の表面と針管３の内側面とが多点で接触するようになる。よって、高周波誘導加熱により、金属製の針柄２を発熱させると、この針柄２と針管３とが接触している多点が溶融部位となるので、両者をより強く固定することができる。【００２７】  なお、針柄２に形成された溝部２ｂは、任意の形状とすることができる。例えば、図５に示すように、その断面が矩形に窪んだ形状��してもよいし、図６に示すように、断面が三角形に窪んだ形状としてもよい。ここで、図５に示すように、針柄２の表面に矩形形状の溝部２ｂを形成した場合には、この針柄２の表面と針柄３の内側面とが接触した状態で樹脂が溶融し、この溶融した樹脂が矩形形状の溝部２ｂにも入り込むので、図６に示す形状と比べてより強く固定できる。【００２８】  また、図７に示すように、針柄２の軸方向に延びた複数条の山部２ｃをその表面に形成してもよい。この場合、隣り合う山部２ｃ同士を、同一形状、同一ピッチで形成しておけば、鍼灸針１を一旦針管３から取り外した後でも、その鍼灸針１を再度針管３内に取り付けることができる。【００２９】  さらに、図８に示すように、金属でできた針柄２に、例えばブラスト処理又はバレル研磨、電解研磨等の処理を施して、その表面に点状の凹部（又は凸部）２ｄを不規則に形成してもよい。この場合には、高周波誘導加熱により、鍼灸針１の針柄２と針管３とが不規則に形成された凹部２ｄで固定されることになる。よって、一旦針管３から取り外した鍼灸針１を、再度針管３内に取り付けることができなくなり、一回限りの使用を前提とした針管付き鍼灸針を製造することができる。【００３０】  なお、以上の説明においては、針柄２の表面に、例えば突起部２ａや溝部２ｂ、山部２ｃ、凹部２ｄ等が形成されているとしたが、本発明はこれに限られず、凹凸部の形状、配置等をどのように設定してもよい。例えば、針柄２の表面の斜め方向又は螺旋状に凹凸部を形成してもよい。さらに、針柄２に凹凸部を形成せず、その表面が滑らかな場合でも同様に、針管３内に固定することができる。【００３１】  また、ここでは、金属製の針柄２を有する鍼灸針１を、樹脂製の針管３内で固定する方法について説明したが、これとは逆に、鍼灸針１の針柄２が金属でできており、また針管３が樹脂でできている場合であっても、高周波誘導加熱方法により、両者を固定することができる。この場合には、金属でできた針管３の内側面に、任意の凹凸部等を形成しておけばよい。【００３２】  図９は、本発明による鍼灸針と針管との第２の固定方法を説明する概要図である。この第２の固定方法の場合には、まず金属製の針柄２を有する鍼灸針１を樹脂製の針管３内に挿入し、これを交流電源５につながれた電極６の近傍に配置する。次に、針管３の開口端から突出した金属製の針柄２に、交流電源５につながれた他の電極７を接続する。この電極７は、例えばクリップ形状を有し、針柄２の端部を挟んで止められているので、金属でできた針柄２全体が電極の役割を果たすようになる。【００３３】  この状態で、これらの電極６，７に交流電圧を印加すると、電極７に接続された針柄２と電極６との間にマイクロ波が発生し、これが針管３の一部に照射される。すると、マイクロ波が照射された部位における樹脂の分子が振動するので、これにより分子間に摩擦熱が発生して針管３自体を瞬間的に発熱させることができる。そして、この針管３自身の発熱により、その内側面と針柄２の表面との接触部位が溶融し、その溶融した部位３ａで針柄２を固定することができる（図１参照）。【００３４】  このようなマイクロ波加熱により、被加熱物である針管３自体を瞬間的に発熱させることができるが、その発熱温度は、電気制御回路で交流電源５の周波数を制御することで容易に設定できる。【００３５】  以上のようなマイクロ波加熱による固定方法の場合でも、鍼治療に使うまでの間の検査、包装、輸送中等の振動等では、針管３から鍼灸針１が外れることはない。また鍼治療の際には、針管３をつまんで針柄２の端部を押せば、針管３から鍼灸針１を片手で取り外すことができる。【００３６】  なお、マイクロ波加熱による固定方法の場合は、針柄２の表面と針管３の内側面とが接触するものであれば、その形状はどのようなものでもよい。
【産業上の利用可能性】
【００３７】  本発明によれば、金属製の針柄を有する鍼灸針を樹脂製の針管内で固定できる。また、鍼灸針の針柄の表面に形成された凹凸部の形状や配置等を適宜に設定することで、鍼灸針と針管との固定強度を可変したり、一回限りの使用を前提とした針管付き鍼灸針を製造することができるので、産業上の利用可能性は大である。
【図１】
2006067832.tif 000003
【図２】
2006067832.tif 000004
【図３】
2006067832.tif 000005
【図４】
2006067832.tif 000006
【図５】
2006067832.tif 000007
【図６】
2006067832.tif 000008
【図７】
2006067832.tif 000009
【図８】
2006067832.tif 000010
【図９】
2006067832.tif 000011
【手続補正書】
【提出日】平成18年1月14日(2006.1.14)
【手続補正１】
【補正対象書類名】特許請求の範囲
【補正対象項目名】全文
【補正方法】変更
【補正の内容】
【特許請求の範囲】
【請求項１】
金属製で表面に凹部を形成した針柄を有する鍼灸針を、樹脂製の針管内に挿入し、これを加熱コイルの中に配置し、該加熱コイルに高周波の交流電流を流して前記針柄を誘導加熱し、その熱により前記針管の内側面で前記針柄の表面と接触する部位の樹脂を溶融させて両者を固定することを特徴とする鍼灸針と針管との固定方法。
【請求項２】
金属製の針柄を有する鍼灸針を、樹脂製の針管内に挿入して両者を固定した針管付き鍼灸針であって、
前記針柄は、その表面に凹部を備え、
高周波誘導加熱により、前記針柄を誘導加熱し、その熱により前記針管の内側面で前記針柄の表面と接触する部位の樹脂を溶融させて両者を固定したことを特徴とする針管付き鍼灸針。
【請求項３】
前記針柄は、その表面の円周方向に環状をなした凹部が形成されたことを特徴とする請求項２記載の針管付き鍼灸針。
【請求項４】
前記針柄は、その表面に軸線方向に延びた凹部が形成されたことを特徴とする請求項２記載の針管付き鍼灸針。
【請求項５】
前記針柄は、その表面に点状の凹部が不規則に形成されたことを特徴とする請求項２記載の針管付き鍼灸針。
【手続補正２】
【補正対象書類名】明細書
【補正対象項目名】全文
【補正方法】変更
【補正の内容】
【発明の詳細な説明】
【技術分野】
【０００１】
本発明は、鍼治療に用いる鍼灸針に関し、特に、金属製の針柄を有する鍼灸針を樹脂製の針管内で固定する方法及び針管付き鍼灸針に関するものである。
【背景技術】
【０００２】
従来から鍼治療に用いる鍼灸針として様々なものが提案されている。鍼治療を行う際には、円筒状の針管を使って鍼灸針を刺入するのが一般的であり、商品としての鍼灸針は、針管内に収容され、その針先が保護された針管付きのものがある。このような針管付き鍼灸針は、針管の開口端から針柄の一部を突出させた状態で、針柄を針管の内側面に固定しておき、針治療の際には、針管から容易に取り外せるようにする必要がある。
【０００３】
このため、従来の一般的な鍼灸針として、その針柄と針管との隙間に別部材からなる楔形のチップを圧入することで、両者を固定するものがあった。
また、他の鍼灸針として、その針柄及び針管を同一の樹脂で形成し、超音波振動と同時に圧力を加えることで、樹脂の一部に強力な摩擦熱を発生させ、接合したい部分同士を溶融させて両者を固定するものがあった（特許文献１，２参照）。
さらに、他の鍼灸針として、鍼灸針の針柄と針管とを接着剤で接着して、両者を固定するものもあった（特許文献３参照）。
【特許文献１】特開平８−１０３１０号公報
【特許文献２】特開平９−２８７５８号公報
【特許文献３】特開平８−１５５００６号公報
【発明の開示】
【発明が解決しようとする課題】
【０００４】
しかしながら、別部材からなるチップを用いて鍼灸針と針管とを固定する方法においては、部品点数が多くなる上に、針治療の際にまずチップを取り外さなければならず、そのチップの処分に手間がかかり、また鍼灸針と針管とがばらばらになり易いという問題点があった。
【０００５】
また、特許文献１，２に記載された超音波溶着による固定方法においては、針柄と針管とが同一の樹脂でできている場合には両者を溶着して固定できるが、例えば、両者が異なる材質の場合、特に鍼灸針の針柄が金属製であり、針管が樹脂製の場合には両者を溶着するのが困難であった。
【０００６】
さらに、特許文献３に記載された接着剤による固定方法の場合には、たとえ鍼灸針の針柄と針管とが異なる材質の場合でも、両者を固定することができるものの、製造時における管理が困難であり、また多くの手間がかかるという問題点があった。
【０００７】
そこで、本発明は、このような従来の問題点に鑑み、部品点数を増やさずに、金属製の針柄を有する鍼灸針を樹脂製の針管内で固定する方法及び針管付き鍼灸針を提供することを目的とする。
【課題を解決するための手段】
【０００８】
このため、本発明による鍼灸針と針管との固定方法は、金属製で表面に凹部を形成した針柄を有する鍼灸針を、樹脂製の針管内に挿入し、これを加熱コイルの中に配置し、該加熱コイルに高周波の交流電流を流して金属製の針柄を誘導加熱し、その熱により針管の内側面で針柄の表面と接触する部位の樹脂を溶融させて両者を固定することを特徴とする。
【０００９】
また、本発明による針管付き鍼灸針は、金属製の針柄を有する鍼灸針を、樹脂製の針管内に挿入して両者を固定した針管付き鍼灸針であって、金属製の針柄は、その表面に凹部を備え、高周波誘導加熱により、金属製の針柄を誘導加熱し、その熱により針管の内側面で針柄の表面と接触する部位の樹脂を溶融させて両者を固定したことを特徴とする。
【００１０】
ここで、金属製の針柄は、その表面の円周方向に環状をなした凹部が形成されている。
【００１１】
また、金属製の針柄は、その表面に軸線方向に延びた凹部が形成されたものでもよい。
【００１２】
さらに、金属製の針柄は、その表面に点状の凹部が不規則に形成されたものでもよい。
【発明の効果】
【００１３】
本発明によれば、鍼灸針の針柄が金属でできており、それを収容する針管が樹脂でできている場合であっても、高周波誘導加熱により、針管の内側面で針柄の表面と接触する部位の樹脂を溶融させて両者を固定することができる。
このとき、別部材を用いなくてもよいので、部品点数を増やさずに、両者を固定することができる。また、針管をつまんで針柄の端部を押せば、針管から鍼灸針を片手で取り外すことができる。
【図面の簡単な説明】
【００１４】
【図１】参考例を示す針管付き鍼灸針の一部断面図である。
【図２】図１のＡ矢視図である。
【図３】鍼灸針と針管との固定方法を説明する概要図である。
【図４】本発明の一実施形態における鍼灸針の第１の形状を示す要部拡大斜視図である。
【図５】鍼灸針の第２の形状を示す要部拡大断面図である。
【図６】鍼灸針の第３の形状を示す要部拡大断面図である。
【図７】鍼灸針の第４の形状を示す要部拡大斜視図である。
【図８】鍼灸針の第５の形状を示す要部拡大斜視図である。
【符号の説明】
【００１５】
１…鍼灸針
２…針柄
２ａ…突起部
２ｂ…溝部
２ｃ…山部
２ｄ…凹部
３…針管
４…加熱コイル
５…交流電源
【発明を実施するための最良の形態】
【００１６】
以下、本発明の実施形態を添付図面に基づいて詳細に説明する。
図１及び図２は参考例を示し、図１は針管付き鍼灸針の一部断面図であり、図２は図１のＡ矢視図である。この針管付き鍼灸針は、鍼灸針１の針柄２を針管３内の所定部位３ａで固定したものである。
【００１７】
鍼灸針１は、先端側に針先が形成された金属製の棒状体であって、その基端側に針柄２が取り付けられている。この針柄２は、例えばステンレスなどの金属でできた円柱体であって、図３に示すように、その表面に一点の突起部２ａが形成されている。
針管３は、針柄２の外径より大きい内径を有する樹脂製の円筒体である。樹脂材料としては、例えばポリプロピレン、ポリエチレン、ポリスチレン、塩化ビニル等の樹脂が用いられる。
【００１８】
次に、このような金属製の針柄２を有する鍼灸針１を、樹脂製の針管３内で固定する方法について説明する。まず図３に示すように、針柄２の一部を針管３の開口端から突出させた状態で、鍼灸針１を針管３の内部に挿入し、これを加熱コイル４の中に配置する。この加熱コイル４は、例えば、針管３の外径の太さよりも太く螺旋状に巻かれた電気の導線であり、交流電源５につながれている。
【００１９】
この状態で、加熱コイル４に高周波の交流電流を流すと、この加熱コイル４の内部に磁界が発生する。この磁界は金属製の針柄２内にも発生するので、該針柄２内には、磁界を打ち消す方向に高周波の渦電流（循環電流）ｉが誘起する。この渦電流ｉが針柄２内を流れると、針柄２の表面からジュール熱が発生する。なお、針柄２の表面の突起部２ａは、抵抗値が高くなるので、発熱温度がより高くなる。
【００２０】
このような高周波誘導加熱方法の場合には、加熱コイル４と金属製の針柄２とは非接触にもかかわらず、針柄２の表面全体を瞬間的に発熱させることができ、この針柄２の発熱により、その表面の突起部２ａと接触している樹脂製の針管３の内側面を溶融させて、この溶融した部位３ａで両者を固定することができる（図１参照）。
【００２１】
なお、加熱コイル４の形状は、図３に示す螺旋状のものに限られず、高周波の交流電流を流すとその内部に磁界が発生するものであれば、どのような形状でもよい。例えば、円形の一巻コイルを半分に折り曲げたものでもよい。また、針柄２の発熱温度は、加熱コイル４の巻数や形状、交流電流の周波数、針柄２の材質を適宜選択することによって、任意に設定することができる。特に、電気制御回路で交流電源５の周波数を制御することにより、針柄２の発熱温度を容易に設定できる。
【００２２】
このように製造された針管付き鍼灸針は、鍼治療に使うまでの間の検査、包装、輸送中等の振動等では、針管３から鍼灸針１が外れることはない。また鍼治療の際には、針管３をつまんで針柄２の端部を押せば、針管３から鍼灸針１を片手で取り外すことができる。
【００２３】
なお、以上の説明においては、金属製の針柄２は、その表面に一点の突起部２ａが形成されているとしたが、本発明では、針柄２の表面に任意の凹形状を形成する。これについて、以下に説明する。
【００２４】
図４は、本発明の一実施形態における鍼灸針１の第１の形状を示す要部拡大斜視図である。この鍼灸針１は、金属製の針柄２の表面の円周方向に環状をなした複数条の溝部２ｂが形成されている。このような溝部２ｂが形成された針柄２を有する鍼灸針１を、針管３内に挿入すると、針柄２の表面と針管３の内側面とが多点で接触するようになる。よって、高周波誘導加熱により、金属製の針柄２を発熱させると、この針柄２と針管３とが接触している多点が溶融部位となるので、両者をより強く固定することができる。
【００２５】
なお、針柄２に形成された溝部２ｂは、任意の形状とすることができる。例えば、図５に示すように、その断面が矩形に窪んだ形状としてもよいし、図６に示すように、断面が三角形に窪んだ形状としてもよい。ここで、図５に示すように、針柄２の表面に矩形形状の溝部２ｂを形成した場合には、この針柄２の表面と針管３の内側面とが接触した状態で樹脂が溶融し、この溶融した樹脂が矩形形状の溝部２ｂにも入り込むので、図６に示す形状と比べてより強く固定できる。
【００２６】
また、図７に示すように、針柄２の軸方向に延びた複数条の山部２ｃをその表面に形成してもよい。この場合、隣り合う山部２ｃ同士を、同一形状、同一ピッチで形成しておけば、鍼灸針１を一旦針管３から取り外した後でも、その鍼灸針１を再度針管３内に取り付けることができる。
【００２７】
さらに、図８に示すように、金属でできた針柄２に、例えばブラスト処理又はバレル研磨、電解研磨等の処理を施して、その表面に点状の凹部２ｄを不規則に形成してもよい。この場合には、高周波誘導加熱により、鍼灸針１の針柄２と針管３とが不規則に形成された凹部２ｄで固定されることになる。よって、一旦針管３から取り外した鍼灸針１を、再度針管３内に取り付けることができなくなり、一回限りの使用を前提とした針管付き鍼灸針を製造することができる。
【００２８】
なお、以上の説明においては、針柄２の表面に、例えば突起部２ａや溝部２ｂ、山部２ｃ、凹部２ｄ等が形成されているとしたが、本発明はこれに限られず、凹部の形状、配置等をどのように設定してもよい。例えば、針柄２の表面の斜め方向又は螺旋状に凹部を形成してもよい。
【産業上の利用可能性】
【００２９】
本発明によれば、金属製の針柄を有する鍼灸針を樹脂製の針管内で固定できる。また、鍼灸針の針柄の表面に形成された凹部の形状や配置等を適宜に設定することで、鍼灸針と針管との固定強度を可変したり、一回限りの使用を前提とした針管付き鍼灸針を製造することができるので、産業上の利用可能性は大である。
【手続補正３】
【補正対象書類名】図面
【補正対象項目名】図９
【補正方法】削除
【補正の内容】
【国際調査報告】
2006067832.tif 000012
2006067832.tif 000013
2006067832.tif 000014
2006067832.tif 000015